(57)【要約】【課題】物品に火災が発生したときは物品に発生した火災を迅速に消火できながら、消火用液体の補充作業による煩わしさを軽減させることができる物品収納設備を提供する。【解決手段】収納棚に収納された物品に火災が発生した後に、搬送装置Ａが当該物品を収納棚から開口部２３ｂを通して消火用容器２３の貯留空間２３ａに搬送して物品を消火用液体ｗ内に没し、消火用容器２３内の消火用液体ｗの蒸発を防止する蒸発防止体２７を設け、蒸発防止体２７を、収納棚に収納された物品に火災が発生する前は、消火用容器２３内の消火用液体ｗの蒸発を防止する蒸発防止状態を維持し、且つ、収納棚に収納された物品に火災が発生した後に、蒸発防止状態から物品の消火用液体内に没することを許容する消火用状態に切り換える。【選択図】図６
2014189374.tif 000002
【特許請求の範囲】
【請求項１】
物品を収納する収納棚と、
消火用液体を貯留する貯留空間を形成する消火用容器と、
物品を前記収納棚から前記貯留空間に搬送する搬送装置と、が設けられ、
前記消火用容器が、物品を前記貯留空間に搬送するための開口部を前記貯留空間より上方に備え、
前記搬送装置が、前記収納棚に収納された物品に火災が発生した後に、当該物品を前記収納棚から前記開口部を通して前記消火用容器の前記貯留空間に搬送して物品を消火用液体内に没する物品収納設備であって、
前記消火用容器内の前記消火用液体の蒸発を防止する蒸発防止体が設けられ、
前記蒸発防止体は、前記収納棚に収納された物品に火災が発生する前は、前記消火用容器内の消火用液体の蒸発を防止する蒸発防止状態を維持し、且つ、前記収納棚に収納された物品に火災が発生した後に、前記蒸発防止状態から物品の前記消火用液体内に没することを許容する消火用状態に切り換えられる物品収納設備。
【請求項２】
前記蒸発防止体は、前記消火用液体を封入する封入袋にて形成され、
前記蒸発防止状態は、前記封入袋内に前記消火用液体が封入され且つ当該封入袋が前記貯留空間に設置された状態であり、
前記消火用状態が、前記封入袋が破裂して前記封入袋内の前記消火用液体を前記貯留空間において前記封入袋外に流出させる状態であり、
前記消火用容器内の前記封入袋に接触して前記封入袋を破裂させる接触部材と、前記接触部材を前記消火用容器内の前記封入袋に接近移動させる移動装置と、が設けられ、
前記接触部材にて前記封入袋が破裂されることで、前記封入袋が前記蒸発防止状態から前記消火用状態に切り換わるように構成されている請求項１記載の物品収納設備。
【請求項３】
前記搬送装置が、物品を載置支持する支持部と、前記支持部を前記消火用容器の前記開口部を通して前記消火用容器の前記貯留空間に下降移動させる下降操作機構と、を備え、
前記接触部材が、前記支持部に取り付けられ、
前記移動装置が、前記下降操作機構にて構成されている請求項２記載の物品収納設備。
【請求項４】
前記蒸発防止体が、前記貯留空間内に貯留された前記消火用液体より比重が小さく且つ前記消火用液体より揮発性が低い蒸発防止用液体であり、
前記蒸発防止状態は、前記蒸発防止用液体が前記貯留空間に貯留された前記消火用液体の上面の全体を覆う状態であり、
前記消火用状態は、前記蒸発防止用液体が前記貯留空間に貯留された前記消火用液体の上面の一部又は全部を覆わない状態であり、
前記搬送装置にて前記貯留空間内に下降移動させる物品又は物品を支持する前記搬送装置における支持部にて前記蒸発防止用液体を押し退けながら物品を前記貯留空間に下降移動させことで、前記蒸発防止用液体を前記蒸発防止状態から前記消火用状態に切り換えるように構成されている請求項１記載の物品収納設備。
【請求項５】
前記蒸発防止体が、前記開口部を塞ぐ蓋体にて構成され、
前記蒸発防止状態は、前記開口部を閉じるべく前記蓋体が前記開口部を閉じる閉じ位置に位置する状態であり、
前記消火用状態は、前記開口部を開くべく前記蓋体を前記開口部から退避させた開き位置に位置する状態であり、
前記蓋体を前記閉じ位置と前記開き位置とに移動操作する開閉切換装置が設けられ、
前記開閉切換装置が前記蓋体を前記閉じ位置から前記開き位置に移動操作することで、前記蓋体を前記蒸発防止状態から前記消火用状態に切り換えるように構成されている請求項１記載の物品収納設備。
【請求項６】
前記蒸発防止体を前記蒸発防止状態から前記消火用状態に切り換える防止体切換装置と、
前記収納棚に収納されている物品の火災の発生を検知する火災検知装置と、
前記火災検知装置の検知情報に基づいて前記蒸発防止体を前記蒸発防止状態から前記消火用状態に切り換えるべく前記防止体切換装置の作動を制御する退避制御装置と、が設けられている請求項１、２又は５記載の物品収納設備。
【請求項７】
前記搬送装置が、前記収納棚から前記消火用容器の直上に設定された中継箇所に物品を搬送する第１搬送装置と、前記中継箇所から前記消火用容器の前記貯留空間に物品を下降させて搬送する第２搬送装置と、で構成されている請求項１〜６のいずれか一項に記載の物品収納設備。
【請求項８】
前記第２搬送装置が、前記中継箇所に位置する物品を載置支持する上昇位置から載置支持した物品が前記消火用容器の前記貯留空間に位置する下降位置に自重により下降移動自在な荷受部と、前記荷受部を前記上昇位置で保持する保持状態と前記荷受部に対する保持を解除した解除状態とに切換自在な保持装置と、を備えて構成されている請求項７記載の物品収納設備。
【発明の詳細な説明】
【技術分野】
【０００１】
本発明は、物品を収納する収納棚と、消火用液体を貯留する貯留空間を形成する消火用容器と、物品を前記収納棚から前記貯留空間に搬送する搬送装置と、が設けられ、前記消火用容器が、物品を前記貯留空間に搬送するための開口部を前記貯留空間より上方に備え、前記搬送装置が、前記収納棚に収納された物品に火災が発生した後に、当該物品を前記収納棚から前記開口部を通して前記消火用容器の前記貯留空間に搬送して物品を消火用液体内に没する物品収納設備に関する。
【背景技術】
【０００２】
かかる物品収納設備の従来例として、消火用容器の貯留空間に予め消火用液体を貯留しておき、収納棚に収納している物品に火災が発生したときに、当該物品を収納棚から消火用容器の貯留空間に搬送して、物品を消火用液体に没することで物品に発生した火災を消火するものがある（例えば、特許文献１参照。）。
【先行技術文献】
【特許文献】
【０００３】
【特許文献１】特開２０１２−０２５５４９号公報
【発明の概要】
【発明が解決しようとする課題】
【０００４】
上述のように消火用容器の貯留空間に予め消火用液体を貯留しておくことで、物品に火災が発生したときは、消火用容器の貯留空間にすでに水が貯留されている状態であるため、火災が発生した物品を搬送装置にて貯留空間に搬送して水に没することで物品に発生した火災を迅速に消火することができる。
しかしながら、収納棚に収納している物品に火災が発生することは頻繁に起こるようなものではなく、物品に火災が発生するまでの間に消火用容器に貯留している消火用液体は蒸発により減少する。そのため、消火用容器の貯留空間に適宜、消火用液体を補充する必要があり、消火用液体の補充作業が煩わしいものとなっている。
また、例えば、収納棚に収納される物品がエイジング対象の充電済みの二次電池である場合、収納棚が設置される空間は少なくとも温度管理がされた空調対象空間となるが、従来の構成において消火用液体を水とすると、消火用容器から発生する水蒸気により消火用容器の周辺の湿度が上昇してしまい、収納棚における収納位置によって湿度に斑が生じ易い。そのため、収納棚の全域に亘る均一なエイジング環境が維持し難くなり、二次電池の品質管理上の不都合が生じる。
【０００５】
本発明は、上記実状に鑑みて為されたものであって、その目的は、物品に火災が発生したときは物品に発生した火災を迅速に消火できながら、消火用液体の補充作業による煩わしさを軽減させることができる物品収納設備を提供する点にある。
【課題を解決するための手段】
【０００６】
本発明にかかる物品収納設備は、物品を収納する収納棚と、消火用液体を貯留する貯留空間を形成する消火用容器と、物品を前記収納棚から前記貯留空間に搬送する搬送装置と、が設けられ、前記消火用容器が、物品を前記貯留空間に搬送するための開口部を前記貯留空間より上方に備え、前記搬送装置が、前記収納棚に収納された物品に火災が発生した後に、当該物品を前記収納棚から前記開口部を通して前記消火用容器の前記貯留空間に搬送して物品を消火用液体内に没するように構成されたものであって、その第１特徴構成は、
前記消火用容器内の前記消火用液体の蒸発を防止する蒸発防止体が設けられ、
前記蒸発防止体は、前記収納棚に収納された物品に火災が発生する前は、前記消火用容器内の消火用液体の蒸発を防止する蒸発防止状態を維持し、且つ、前記収納棚に収納された物品に火災が発生した後に、前記蒸発防止状態から物品の前記消火用液体内に没することを許容する消火用状態に切り換えられる点にある。
【０００７】
すなわち、収納棚に収納された物品に火災が発生するまでは、蒸発防止体は蒸発防止状態となっている。このように蒸発防止体が蒸発防止状態となっていると、貯留空間の消火用液体は蒸発防止体にて蒸発が防止されているので、貯留空間の消火用液体の蒸発が抑えられ、貯留空間に消火用液体を補充する必要がなくなる又は消火用液体を補充するにしてもその回数を少なくできる。そのため、消火用液体の補充作業による煩わしさを軽減させることができる。
そして、収納棚に収納された物品に火災が発生した後は、蒸発防止体は蒸発防止状態から消火用状態に切り換えられる。そのため、火災が発生した物品を搬送装置にて貯留空間に搬送して消火用液体に没することができ、物品に発生した火災を迅速に消火することができる。
【０００８】
本発明にかかる物品収納設備の第２特徴構成は、第１特徴構成において、前記蒸発防止体は、前記消火用液体を封入する封入袋にて形成され、前記蒸発防止状態は、前記封入袋内に前記消火用液体が封入され且つ当該封入袋が前記貯留空間に設置された状態であり、前記消火用状態が、前記封入袋が破裂して前記封入袋内の前記消火用液体を前記貯留空間において前記封入袋外に流出させる状態であり、前記消火用容器内の前記封入袋に接触して前記封入袋を破裂させる接触部材と、前記接触部材を前記消火用容器内の前記封入袋に接近移動させる移動装置と、が設けられ、前記接触部材にて前記封入袋が破裂されることで、前記封入袋が前記蒸発防止状態から前記消火用状態に切り換わるように構成されている点にある。
【０００９】
すなわち、封入袋が蒸発防止状態である間は、消火用液体を封入袋にて密封することで、消火用液体が蒸発することが防止されている。また、移動装置にて接触部材を封入袋に向けて接近移動させて接触部材を封入袋に接触させ、この接触部材の接触により封入袋を破裂させることで、封入袋を消火用状態に切り換えることができる。そして、封入袋を消火用状態に切り換えると、消火用流体は貯留空間において封入袋外に流出しているため、その流出した消火用液体に物品を没して物品に発生した火災を消火することができる。
このように封入袋を破裂させるだけで、蒸発防止体を蒸発防止状態から消火用状態に容易に切り換えて、消火用液体に物品を没することができる。
【００１０】
本発明にかかる物品収納設備の第３特徴構成は、第２特徴構成において、前記搬送装置が、物品を載置支持する支持部と、前記支持部を前記消火用容器の前記開口部を通して前記消火用容器の前記貯留空間に下降移動させる下降操作機構と、を備え、前記接触部材が、前記支持部に取り付けられ、前記移動装置が、前記下降操作機構にて構成されている点にある。
【００１１】
すなわち、接触部材を搬送装置の支持部に取り付けられており、物品を消火用容器の貯留空間に搬送するべく支持部を下降移動させることで、その支持部に取り付けた接触部材を貯留空間に位置する封入袋に向けて接近移動させて接触部材にて封入袋を破裂させることができる。このように、接触部材を移動させる移動装置が、搬送装置の下降操作機構にて構成されているため、封入袋を破裂させるための専用の装置を設ける必要がなく、構成の簡素化を図ることができる。
【００１２】
本発明にかかる物品収納設備の第４特徴構成は、第１特徴構成において、前記蒸発防止体が、前記貯留空間内に貯留された前記消火用液体より比重が小さく且つ前記消火用液体より揮発性が低い蒸発防止用液体であり、前記蒸発防止状態は、前記蒸発防止用液体が前記貯留空間に貯留された前記消火用液体の上面の全体を覆う状態であり、前記消火用状態は、前記蒸発防止用液体が前記貯留空間に貯留された前記消火用液体の上面の一部又は全部を覆わない状態であり、前記搬送装置にて前記貯留空間内に下降移動させる物品又は物品を支持する前記搬送装置における支持部にて前記蒸発防止用液体を押し退けながら物品を前記貯留空間に下降移動させことで、前記蒸発防止用液体を前記蒸発防止状態から前記消火用状態に切り換えるように構成されている点にある。
【００１３】
すなわち、蒸発防止用液体を蒸発防止状態とした状態では、消火用液体の上面が蒸発防止用液体にて覆われることで、貯留空間内の消火用液体が蒸発することを防止することができる。また、蒸発防止用液体は液体であるため、搬送装置にて物品を貯留空間に搬送するときに、貯留空間に向けて下降移動する物品又はその物品を支持する支持部にて、蒸発防止用液体を押し退けながら物品を貯留空間に搬送することができる。そして、搬送装置により搬送される物品又はその搬送装置における支持部により蒸発防止用液体を押し退けることで、蒸発防止用液体を、蒸発防止状態から消火用液体の上面の一部又は全部を覆わない消火用状態に切り換えることができる。
このように、搬送装置による物品の搬送作動を利用することにより蒸発防止用液体を押し退けることで、蒸発防止体を消火用液体の上面から移動させるための専用の装置を設ける必要がなく、簡素な構成で蒸発防止体を蒸発防止状態から消火用状態に切り換えることができる。
【００１４】
本発明にかかる物品収納設備の第５特徴構成は、第１特徴構成において、前記蒸発防止体が、前記開口部を塞ぐ蓋体にて構成され、前記蒸発防止状態は、前記開口部を閉じるべく前記蓋体が前記開口部を閉じる閉じ位置に位置する状態であり、前記消火用状態は、前記開口部を開くべく前記蓋体を前記開口部から退避させた開き位置に位置する状態であり、前記蓋体を前記閉じ位置と前記開き位置とに移動操作する開閉切換装置が設けられ、前記開閉切換装置が前記蓋体を前記閉じ位置から前記開き位置に移動操作することで、前記蓋体を前記蒸発防止状態から前記消火用状態に切り換えるように構成されている点にある。
【００１５】
すなわち、蓋体を蒸発防止状態とした状態では、蓋体が閉じ位置に位置して蓋体にて消火用容器の開口部が閉じられるため、貯留空間の消火用液体が蒸発することを防止することができる。また、開閉切換装置にて、閉じ状態の蓋体を開口部から退避させて開き位置に退避させることで蓋体を消火用状態に切り換えることができ、搬送装置にて開口部を通して物品を消火用容器の貯留空間に搬送して、物品を消火用流体に没することができる。
【００１６】
本発明にかかる物品収納設備の第６特徴構成は、第１、第２又は第５特徴構成において、前記蒸発防止体を前記蒸発防止状態から前記消火用状態に切り換える防止体切換装置と、前記収納棚に収納されている物品の火災の発生を検知する火災検知装置と、前記火災検知装置の検知情報に基づいて前記蒸発防止体を前記蒸発防止状態から前記消火用状態に切り換えるべく前記防止体切換装置の作動を制御する退避制御装置と、が設けられている点にある。
【００１７】
すなわち、収納棚に収納されている物品に火災が発生し、そのことが火災検知装置にて検知されると、退避制御装置は、火災検知装置の検知情報に基づいて蒸発防止体の作動を制御して、蒸発防止体を蒸発防止状態から消火用状態に自動的に切り換えることができる。そのため、作業者は物品の火災を認識したときに蒸発防止体を蒸発防止状態から消火用状態に切り換える必要がなく、作業者の消火作業の簡素化を図ることができる。
【００１８】
本発明にかかる物品収納設備の第７特徴構成は、第１〜第６特徴構成のいずれかにおいて、前記搬送装置が、前記収納棚から前記消火用容器の直上に設定された中継箇所に物品を搬送する第１搬送装置と、前記中継箇所から前記消火用容器の前記貯留空間に物品を搬送する第２搬送装置と、で構成されている点にある。
【００１９】
すなわち、搬送装置を、収納棚から中継箇所に物品を搬送する第１搬送装置と、中継箇所から消火用容器の貯留空間に物品を搬送する第２搬送装置とで構成することで、第１搬送装置に物品を消火用容器の貯留空間に搬送する機能を備えさせる必要がなく、第１搬送装置の構成の簡素化及び軽量化を図ることができる。
また、第１搬送装置は、収納棚の収納部との間で物品を搬送するものであるため、物品に火災が発生していない通常時の入出庫のために物品を搬送することに用いることが考えられるが、このような第１搬送装置の軽量化を図ることで、物品収納設備のランニングコストを抑えることができる。また、中継箇所を、通常時の入出庫を行う搬送装置の移載対象箇所の一つとして設定することで、当該入出庫を行う搬送装置の搬送機能をそのまま利用することが可能となる。
【００２０】
本発明にかかる物品収納設備の第８特徴構成は、第７特徴構成において、前記第２搬送装置が、前記中継箇所に位置する物品を載置支持する上昇位置から載置支持した物品が前記消火用容器の前記貯留空間に位置する下降位置に自重により下降移動自在な荷受部と、前記荷受部を前記上昇位置で保持する保持状態と前記荷受部に対する保持を解除した解除状態とに切換自在な保持装置と、を備えて構成されている点にある。
【００２１】
すなわち、保持装置を保持状態から解除状態に切り換えることで、保持装置による荷受部に対する保持が解除される。そして、荷受部の保持が解除されることで、荷受部は自重により下降移動して消火用容器内の貯留空間に移動し、荷受部にて支持されている物品を消火用液体に没することができる。
つまり、第２搬送装置は、保持装置による荷受部に対する保持を解除するだけで物品を中継箇所から貯留空間に搬送することができ、第２搬送装置に荷受部を昇降移動させるような昇降駆動装置を設ける必要がないので、第２搬送装置の構成の簡素化を図ることができる。
【図面の簡単な説明】
【００２２】
【図１】物品収納設備の平面図
【図２】収納棚の一部拡大斜視図
【図３】スタッカークレーンの側面図
【図４】スタッカークレーンの正面図
【図５】制御ブロック図
【図６】固定用消火装置の正面図
【図７】固定用消火装置の正面図
【図８】別実施形態（１）の固定用消火装置の正面図
【図９】別実施形態（１）の固定用消火装置の正面図
【図１０】別実施形態（２）の固定用消火装置の正面図
【図１１】別実施形態（２）の固定用消火装置の正面図
【図１２】別実施形態（３）の固定用消火装置の正面図
【発明を実施するための形態】
【００２３】
以下、本発明に係る物品収納設備の実施形態を図面に基づいて説明する。
図１に示すように、物品収納設備には、複数の物品を収納する収納棚１と、物品を支持する荷受部２と、収納棚１と荷受部２との間で物品を搬送するスタッカークレーン３と、が設けられている。
【００２４】
スタッカークレーン３は、床面に敷設された直線状の有端状の走行レール４に案内されることで直線状の走行経路に沿って走行自在となっている。収納棚１は、物品を出し入れする方向が互いに対向する状態で且つスタッカークレーン３の走行経路の両側に位置する状態で一対設けられている。また、荷受部２は、スタッカークレーン３の走行経路の両側に位置する状態で且つ一対の収納棚１の夫々と棚横幅方向に並ぶ状態で一対設けられている。
【００２５】
本実施形態の物品は、充電済みの二次電池であり、エイジングのために収納棚１に入庫され、収納棚１において、少なくとも温度が管理された空調環境の下で一定期間保管された後、収納棚１から出庫される。収納棚１に保管中の物品が発熱して物品に火災が発生した場合に備えて、本物品収納設備には、火災検知装置６や移動用消火装置Ｅ１や固定用消火装置Ｅ２等が設けられており、火災の消火と延焼の防止のための適切な処置を自動的に行う火災対策システムを備えている。
【００２６】
〔収納棚〕
図２に示すように、収納棚１は、物品を収納自在な収納部８を棚横幅方向及び棚上下方向に複数並べて構成されており、各収納部８は、棚横幅方向に並ぶ一対の腕木９にて物品の棚横幅方向の両側部を載置支持する状態で、物品を収納するように構成されている。
また、各収納部８は、その棚横幅方向の側面、上面及び下面、並びに背面をロックウール等の難燃性素材からなる防火パネル１０により囲われており、夫々の収納部８上面の防火パネル１０には、収納部８に収納されている物品に火災が発生した場合に、その火災による熱又は煙を検知することで、当該収納部８に火災が発生したことを検知する火災検知装置６の火災センサ６ａが設けられている。
【００２７】
〔荷受部〕
図１に示すように、荷受部２として、収納棚１に入庫する物品や収納棚１から出庫された物品を支持する入出庫用荷受部２ａと、火災が発生した物品を支持する消火用荷受部２ｂと、が設定されている。図４に示すように、入出庫用荷受部２ａは、外部との間で物品を搬送する入出庫コンベヤ１１における搬送端部に設定されており、消火用荷受部２ｂは、固定用消火装置Ｅ２に設定されており、火災物品Ｗｆを鎮火するための消火用容器２３の上方に設定されている。
【００２８】
そして、火災が発生した物品を火災物品Ｗｆとし、火災が発生していない物品を通常物品Ｗｎとして、入出庫用荷受部２ａの通常物品Ｗｎは、スタッカークレーン３にて収納棚１の収納部８に搬送され、収納棚１の収納部８に収納されている通常物品Ｗｎは、スタッカークレーン３にて入出庫用荷受部２ａに搬送される。また、収納棚１の収納部８に収納されている火災物品Ｗｆは、スタッカークレーン３にて消火用荷受部２ｂに搬送される。
【００２９】
〔スタッカークレーン〕
図３に示すように、スタッカークレーン３は、走行経路に沿って走行自在な走行台車１２と、走行台車１２に立設された前後一対の昇降マスト１３の間に形成された昇降経路を昇降自在な昇降台１４と、物品を載置支持するスライドフォークを備えた物品移載装置１５と、を備えている。そして、スタッカークレーン３は、走行経路に沿って走行台車１２が走行移動する走行作動と、昇降経路に沿って昇降台１４が昇降移動する昇降作動と、物品移載装置１５の移載作動と、により、収納部８と荷受部２との間で物品を搬送するように構成されている。
【００３０】
走行台車１２には、走行台車１２を走行駆動する走行用電動モータＭ１、及び、昇降台１４を昇降駆動する昇降用電動モータＭ２が設けられている。また、昇降台１４には、物品移載装置１５を出退駆動する移載用電動モータＭ３が設けられている。尚、走行用電動モータＭ１、昇降用電動モータＭ２及び移載用電動モータＭ３の夫々は、サーボモータにて構成されている。
【００３１】
〔移動用消火装置〕
移動用消火装置Ｅ１は、スタッカークレーン３に設けられており、スタッカークレーン３にて搬送されている火災物品Ｗｆに対して消火を行うように構成されている。
図３に示すように、移動用消火装置Ｅ１は、二酸化炭素を散布するように構成されている。
具体的には、移動用消火装置Ｅ１は、液化二酸化炭素が充填された２本の炭酸ガスボンベ１７、炭酸ガスボンベ１７にボンベ開閉弁１８を介して接続された耐圧ホース１９、耐圧ホース１９の先端に接続された噴出ノズル２０を備えて構成されている。炭酸ガスボンベ１７は、昇降マスト１３に取り付けられており、噴出ノズル２０は、昇降台１４に取り付けられている。
そして、ボンベ開閉弁１８は、クレーンコントローラ４６（図５参照）が実行する移動消火制御により開閉制御されるようになっており、移動用消火装置Ｅ１は、ボンベ開閉弁１８が開くことで、炭酸ガスボンベ１７からの二酸化炭素を噴出ノズル２０から物品移載装置１５上の物品に向けて噴出するようになっている。
【００３２】
〔固定用消火装置〕
固定用消火装置Ｅ２は、床面上に設けられており、消火用容器２３内の水ｗの蒸発を防止する封入袋２７が設けられ、封入袋２７は、収納棚１に収納された物品に火災が発生する前は、消火用容器２３内の水ｗの蒸発を防止する蒸発防止状態を維持し、且つ、収納棚１に収納された物品に火災が発生した後に、封入袋２７の状態が蒸発防止状態から火災物品Ｗｆが消火用容器２３内で水没することを許容する消火用状態に切り換えられる。
【００３３】
封入袋２７は、蒸発防止状態では、図６に示すように、封入袋２７内に水ｗが封入され且つ当該封入袋２７が消火用容器２３の貯留空間２３ａに設置された状態であり、消火用状態では、図７に示すように、封入袋２７が破裂して封入袋２７内の水ｗを貯留空間２３ａにおいて封入袋外に流出させる状態となっている。つまり、収納棚１に収納された物品に火災が発生する前は、図６に示すように、封入袋２７は蒸発防止状態を維持しており、消火用容器２３内の水ｗは、封入袋２７内の封入されているために蒸発が防止されている。そして、収納棚１に収納された物品に火災が発生した後に、図７に示すように、封入袋２７を破裂させることで封入袋２７は消火用状態となり、封入袋２７内の水ｗが貯留空間２３ａにおいて封入袋２７外に流出される。
このように封入袋２７を破裂させた状態で搬送装置Ａにて火災物品Ｗｆを消火用容器２３内に搬送することで、封入袋２７から流出した水ｗに火災物品Ｗｆを水没させることができ、水ｗよる冷却作用と水没させることによる窒息作用とにより、火災物品Ｗｆに発生している火災を消火するようになっている。
【００３４】
固定用消火装置Ｅ２は、水ｗを貯留する貯留空間２３ａを形成する消火用容器２３、荷受台２４上の火災物品Ｗｆを荷受台２４とともに消火用容器２３の貯留空間２３ａに落下させる下降用装置２５、荷受台２４を貯留空間２３ａから引き上げる手動式引き揚げ装置２６、消火用容器２３内の水ｗの蒸発を防止する封入袋２７、及び、封入袋２７の状態を蒸発防止状態から消火用状態に切り換える防止体切換装置２８を備えて構成されている。
【００３５】
固定用消火装置Ｅ２が、消火用容器２３内の火災物品Ｗｆに発生する火災を消火する消火装置に相当する。また、水ｗが、本発明の消火用液体に相当し、封入袋２７が、消火用容器２３内の水ｗの蒸発を防止する本発明の蒸発防止体に相当する。荷受台２４が消火用荷受部２ｂを構成して、荷受台２４を上昇位置に上昇させた状態（図６参照）で当該荷受台２４にて火災物品Ｗｆを支持する箇所が、本発明の中継箇所に相当する。
そして、スタッカークレーン３が、収納棚１から消火用容器２３の真上に設定された中継箇所に火災物品Ｗｆを搬送する本発明の第１搬送装置に相当し、下降用装置２５が、中継箇所から消火用容器２３の貯留空間２３ａに火災物品Ｗｆを移動させる本発明の第２搬送装置に相当する。
また、スタッカークレーン３と下降用装置２５とで、火災物品Ｗｆを収納棚１から開口部２３ｂを通して消火用容器２３の貯留空間２３ａに搬送して火災物品Ｗｆを水内に没する本発明の搬送装置Ａが構成されており、搬送装置Ａが、収納棚１に収納された物品に火災が発生した後に当該物品を収納棚１から固定用消火装置Ｅ２の消火用容器２３の貯留空間２３ａに搬送自在に構成されている。
【００３６】
消火用容器２３は、その消火用容器２３の内部空間における設定量だけ水ｗが貯留されたときに水ｗが存在する空間を貯留空間２３ａとしている。また、消火用容器２３は、火災物品Ｗｆを貯留空間２３ａに搬送するための開口部２３ｂを貯留空間２３ａより上方に備えており、この開口部２３ｂは、貯留空間２３ａより上方に位置する消火用容器２３の上端部にて形成されている。ちなみに、上述した水ｗの設定量は、火災物品Ｗｆの全体が水没する量に設定されており、貯留空間２３ａは、消火用容器２３内における図６及び図７にて符号Ｆで示す高さより下方の空間であり、設定量の水ｗに加えて水没した火災物品Ｗｆが存在する空間としている。
消火用容器２３は、ＳＳ材（一般構造用圧延鋼）にて構成されており、表面には錆止め塗装が施されている。また、消火用容器２３には、貯留空間２３ａに供給される水ｗと消火用容器２３とが接触しないようにビニール製のシート２９が設置されている。
【００３７】
荷受台２４は、火災物品Ｗｆの棚横幅方向の両側部を載置支持する台本体３１と、下降用装置２５の伸縮ロッド２５ａが係脱自在に係合される被係合部３２と、手動式引き揚げ装置２６の吊り下げフック３６が引っ掛けられる引っ掛け部３３と、を備えて構成されている。そして、荷受台２４は、通常は、被係合部３２が下降用装置２５のロッド部３４ａに係合することで上昇位置に位置する状態で下降用装置２５にて支持されている。このように荷受台２４が上昇位置に位置する状態では、荷受台２４は消火用容器２３の開口部２３ｂより上方に位置しており、スタッカークレーン３が荷受台２４に搬送できるようになっている。
また、荷受台２４は、収納部８と同様に、棚横幅方向に並ぶ一対の支持部にて物品の棚横幅方向の両側部を載置支持する状態で、物品を支持するように構成されている。そのため、スタッカークレーン３は、収納部８との間で物品を授受するときと同じ動きで荷受台２４との間で物品を授受できるようになっており、火災が発生していない通常時におけるスタッカークレーン３の物品搬送機能をそのまま利用して、荷受台２４へ火災物品Ｗｆを搬送することができる。
【００３８】
下降用装置２５は、荷受台２４と、荷受台２４を上昇位置で支持する電動シリンダ３４と、を備えて構成されている。電動シリンダ３４は、伸縮自在なロッド部３４ａと、そのロッド部３４ａを伸縮させるチューブ部３４ｂとを備えて構成されており、ロッド部３４ａを伸長させた伸長状態では、ロッド部３４ａの先端が荷受台２４の被係合部３２に係合しており、下降用装置２５にて荷受台２４を上昇位置で支持している。そして、ロッド部３４ａを短縮させることで、被係合部３２に対する係合を解除して、火災物品Ｗｆとともに荷受台２４を自重により落下させることで、荷受台２４及び火災物品Ｗｆを消火用容器２３内に移動させるように構成されている。そして、電動シリンダ３４は、地上側コントローラ４５（図５参照）が実行する固定消火制御によりロッド部３４ａが伸縮制御されるようになっている。
【００３９】
このように下降用装置２５（搬送装置Ａ）は、中継箇所に位置する物品を載置支持する上昇位置から載置支持した火災物品Ｗｆが消火用容器２３の貯留空間２３ａに位置する下降位置に自重により下降移動自在な荷受台２４と、荷受台２４を消火用容器２３の開口部２３ｂを通して消火用容器２３の貯留空間２３ａに下降移動させる電動シリンダ３４と、を備えて構成されている。尚、荷受台２４が、本発明の支持部及び荷受部に相当し、電動シリンダ３４が、荷受台２４を上昇位置で保持する保持状態と荷受台２４に対する保持を解除した解除状態とに切換自在な本発明の下降操作機構及び移動装置に相当する。
【００４０】
手動式引き揚げ装置２６は、ワイヤー３５の先端部に接続された吊り下げフック３６と、ワイヤー３５の基端部側を巻き取り自在な巻取ドラム３７と、を備えて構成されている。そして、手動式引き揚げ装置２６は、消火用容器２３内に位置する荷受台２４における引っ掛け部３３に吊り下げフック３６を引っ掛けた状態で、巻取ドラム３７を回転操作してワイヤー３５を巻き取ることで、消火用容器２３内に落下している荷受台２４を引き上げるように構成されている。
【００４１】
封入袋２７は、プラスチックフィルムやアルミ蒸着フィルム等の薄膜状の素材を袋状に形成して構成されている。そして、通常では、上述した設定量の水ｗが封入した状態（蒸発防止状態）を維持し、接触部材３９が接触して破裂することで、封入袋２７内の水ｗが封入袋２７外に流出する状態（消火用状態）となるようになっている。
【００４２】
防止体切換装置２８は、消火用容器２３内の封入袋２７に接触して封入袋２７を破裂させる接触部材３９と、接触部材３９を消火用容器２３内の封入袋２７に接近移動させる下降用装置２５と、で構成されている。説明を加えると、接触部材３９は、荷受台２４に取り付けられており、下降用装置２５にて火災物品Ｗｆとともに荷受台２４を自重により落下させることで、荷受台２４に取り付けられた接触部材３９が消火用容器２３内の封入袋２７に向けて下降移動するようになっており、防止体切換装置２８は、荷受台２４の上昇位置から下降位置への下降途中で接触部材３９が封入袋２７に接触して、封入袋２７を破裂させるようになっている。
【００４３】
〔制御構成〕
スタッカークレーン３の作動は、床面上に設置される地上側コントローラ４５（図１参照）及びスタッカークレーン３に設けられたクレーンコントローラ４６（図５参照）により制御される。
図１及び図５に示すように、地上側コントローラ４５及びクレーンコントローラ４６は、走行経路に沿う通信用光を送受信する光式通信装置４７により無線通信自在に接続されている。光式通信装置４７は、スタッカークレーン３の走行台車１２に配設されたクレーン側送受信部４７ａと、走行経路の端部に配設された地上側送受信部４７ｂと、を備えて構成されている。
【００４４】
クレーンコントローラ４６は、図５に示すように、搬送制御部Ｈ１及び消火制御部Ｈ２をプログラム形式で備えており、光式通信装置４７をはじめ、各種の入出力機器が接続されている。
そして、火災検知装置６により物品の火災が検知されていない状態では、地上側コントローラ４５は、光式通信装置４７を介してクレーンコントローラ４６に通常物品搬送情報が送信される。
クレーンコントローラ４６の搬送制御部Ｈ１は、通常物品搬送指令に基づいて、入出庫用荷受部２ａから入庫対象の収納部８に通常物品Ｗｎを搬送するべく、スタッカークレーン３の作動を制御する入庫搬送制御や、出庫対象の収納部８から入出庫用荷受部２ａに通常物品Ｗｎを搬送するべく、スタッカークレーン３の作動を制御する出庫搬送制御を実行するように構成されている。
【００４５】
火災検知装置６により通常物品Ｗｎの火災が検知されると、地上側コントローラ４５は、光式通信装置４７を介してクレーンコントローラ４６に火災物品搬送情報が送信されるとともに、固定消火制御を実行するように構成されている。
クレーンコントローラ４６の搬送制御部Ｈ１は、火災物品搬送情報に基づいて、火災物品Ｗｆが収納されている収納部８から消火用荷受部２ｂに火災物品Ｗｆを搬送するべく、スタッカークレーン３の作動を制御する火災物品搬送制御を実行するように構成され、火災物品Ｗｆの消火用荷受部２ｂへの搬送が完了するに伴って、光式通信装置４７を介して地上側コントローラ４５に搬送完了情報を送信するように構成されている。
【００４６】
クレーンコントローラ４６の消火制御部Ｈ２は、火災物品搬送情報に基づいて、噴出ノズル２０を開き操作して搬送する火災物品Ｗｆに向けて二酸化炭素を散布するべく、移動用消火装置Ｅ１の作動を制御する移動消火制御を実行するように構成されている。
また、地上側コントローラ４５の固定消火制御では、クレーンコントローラ４６からの搬送完了情報に基づいて伸縮ロッド２５ａを短縮させるべく下降用装置２５の作動を制御するように構成されている。
【００４７】
このように、収納部８に収納している物品に火災が発生すると、火災が発生した物品である火災物品Ｗｆは、火災が移動用消火装置Ｅ１にて消火されながら消火用荷受部２ｂに搬送される。火災物品Ｗｆが消火用荷受部２ｂから消火用容器２３の貯留空間２３ａに搬送されるときに、防止体切換装置２８にて封入袋２７が破裂されて封入袋２７から水ｗが流し、封入袋２７から流出した水ｗに下降用装置２５が火災物品Ｗｆを没するようになっている。そして、火災が火災検知装置６により物品の火災が検知されていない状態では、水ｗは封入袋２７に封入されているために蒸発することが防止されており、消火用液体の補充作業による煩わしさを軽減させることができ、また、収納棚１の全域に亘る均一なエイジング環境を維持し易くなり、二次電池の品質管理上の不都合を生じ難くできる。
【００４８】
〔別実施形態〕
（１）上記実施形態では、蒸発防止体を封入袋２７としたが、蒸発防止体を、貯留空間内に貯留された消火用液体より比重が小さく且つ消火用液体より揮発性が低い蒸発防止用液体ｏとしてもよい。
図８に示すように、具体的には、消火用液体が水ｗの場合では、蒸発防止用液体ｏはシリコーンオイル等が考えられ、蒸発防止状態を、蒸発防止用液体ｏが貯留空間２３ａに貯留された水ｗの上面の全体を覆う状態とし、消火用状態を、蒸発防止用液体ｏが貯留空間２３ａに貯留された水ｗの上面の一部又は全部を覆わない状態としてもよい。
【００４９】
そして、図８及び図９に示すように、防止体切換装置２８を、下降用装置２５（搬送装置Ａ）にて構成し、下降用装置２５にて貯留空間２３ａ内に下降移動させる火災物品Ｗｆ及び火災物品Ｗｆを支持する荷受台２４にて蒸発防止用液体ｏを押し退けながら火災物品Ｗｆを貯留空間２３ａに下降移動させことで、蒸発防止用液体ｏを蒸発防止状態から消火用状態に切り換えるようにしてもよい。
【００５０】
（２）上記実施形態では、蒸発防止体を封入袋２７としたが、図１０及び図１１に示すように、蒸発防止体を、開口部２３ｂを塞ぐ蓋体４３にて構成し、蒸発防止状態を、開口部２３ｂを閉じるべく蓋体４３が開口部２３ｂを閉じる閉じ位置に位置する状態とし、消火用状態を、開口部２３ｂを開くべく蓋体４３を開口部２３ｂから退避させた開き位置に位置する状態としてもよい。
【００５１】
そして、下降用装置２５（搬送装置Ａ）を、蓋体４３を閉じ位置と開き位置とに移動操作する防止体切換装置２８として、下降用装置２５を、閉じ位置の蓋体４３を突き破って火災物品Ｗｆを貯留空間２３ａに搬送するようにして、蓋体４３を、下降用装置２５にて突き破られることで、蒸発防止状態から消火用状態に切り換わるように構成してもよい。
【００５２】
（３）  上記実施形態では、下降用装置２５を防止体切換装置２８に兼用したが、専用の防止体切換装置２８を設けてもよい。
具体的には、例えば、図１２に示すように、蒸発防止体を封入袋２７とした場合では、防止体切換装置２８を、荷受台２４に取り付けた接触部材３９と、荷受台２４を下降移動させる下降用装置２５と、で構成したが、防止体切換装置２８を、ロッド部４１ａが封入袋２７に向けて突出移動する切換用電動シリンダ４１と、切換用電動シリンダ４１のロッド部４１ａの先端に取り付けられた接触部材３９と、で構成してもよい。
ちなみに、このように防止体切換装置２８を、切換用電動シリンダ４１と接触部材３９とで構成した場合は、地上側コントローラ４５を、火災検知装置６により通常物品Ｗｎの火災が検知されると、ロッド部４１ａを突出させて接触部材３９を封入袋２７に接近移動させるべく、切換用電動シリンダ４１の作動を制御するように構成すればよい。尚、地上側コントローラ４５が、火災検知装置６の検知情報に基づいて蒸発防止体を蒸発防止状態から消火用状態に切り換えるべく防止体切換装置２８の作動を制御する本発明の退避制御装置に相当する。
【００５３】
また、蒸発防止体を蒸発防止用液体とした場合では、防止体切換装置２８をゲートと開閉装置とで構成して、蒸発防止用液体を消火用容器から流出させるようにしてもよく、蒸発防止体を蓋体とした場合では、防止体切換装置を開閉切換装置にて構成して、蓋体を閉じ位置から開き位置に開き操作するようにしてもよい。
【符号の説明】
【００５４】
１    収納棚
３    第１搬送装置
６    火災検知装置
２３    消火用容器
２３ａ  貯留空間
２３ｂ  開口部
２４    支持部、荷受部
２５    第２搬送装置（移動装置、下降操作機構、防止体切換装置）
２７    封入袋（蒸発防止体）
２８    防止体切換装置
３９    接触部材
４３    蓋体（蒸発防止体）
４５    退避制御装置
Ａ    搬送装置
ｗ    消火用液体
ｏ    蒸発防止用液体（蒸発防止体）
【図１】
2014189374.tif 000003
【図２】
2014189374.tif 000004
【図３】
2014189374.tif 000005
【図４】
2014189374.tif 000006
【図５】
2014189374.tif 000007
【図６】
2014189374.tif 000008
【図７】
2014189374.tif 000009
【図８】
2014189374.tif 000010
【図９】
2014189374.tif 000011
【図１０】
2014189374.tif 000012
【図１１】
2014189374.tif 000013
【図１２】
2014189374.tif 000014